(57)【要約】【課題】  スライドレールとケーブル管理装置とを少ない労力で簡便に取り外す機構を提供する接続装置を提供すること。【解決手段】  ケーブル管理装置及びスライドレールアセンブリのための接続装置を開示する。スライドレールアセンブリは第１のレール及び第２のレールを含み、第１のレール及び第２のレールはお互いに対して変位可能である。ケーブル管理装置は第１のアーム及び第２のアームを含む。第１のアーム及び第２のアームはお互いに対して可動であり、２つの接続装置により第１のレール及び第２のレールにそれぞれ連結されている。接続装置の少なくとも一方は第１のフィティング、第２のフィティング及び弾性部材を含む。第１のフィティングが第２のフィティングに取り付けられている場合、弾性部材の一部は第１のフィティング及び第２のフィティングが互いに外れるのを防止するよう構成されている。【選択図】  図１
2019140377.tif 000002
【特許請求の範囲】
【請求項１】
ケーブル管理装置及びスライドレールアセンブリのための接続装置であって、当該接続装置は、
収容構造を有する第１のフィッティングであって、該収容構造は第１の部分と、該第１の部分と連通する第２の部分とを含む、第１のフィッティングと、
突起を有する第２のフィッティングと、
前記第１のフィッティング及び前記第２のフィッティングのうちの一方に取り付けられる弾性部材であって、該弾性部材は、該弾性部材により提供される弾性力に対応してロック位置又は非ロック位置にあるブロック部を含む、弾性部材と、
を含み、
前記第１のフィッティングの収容構造の第１の部分が前記第２のフィッティングの突起と係合した場合、前記弾性部材は、前記弾性部材が手動で操作されることにより又は前記第１のフィッティング及び前記第２のフィッティングの協働に反応して弾性力を生成して前記ブロック部が前記非ロック位置にいざなって前記第１のフィッティングが前記第２のフィッティングから取り外すことができるようにし、
前記第１のフィッティングが前記第２のフィッティングに対して第１の位置から第２の位置に第１の方向に沿って変位された場合、前記第１のフィッティングの収容構造の第２の部分は前記第２のフィッティングの突起と係合し、前記弾性部材は、前記ブロック部を前記非ロック位置から前記ロック位置に戻すために弾性力を放出し、前記ロック位置にある前記ブロック部は前記第１のフィッティングが前記第１の方向と反対の第２の方向に沿って前記第２のフィッティングから外れるのを防止するように構成されている、接続装置。
【請求項２】
前記第１のフィッティングは第１の側壁と、第２の側壁と、該第１の側壁及び該第２の側壁の間に接続される中間壁を含み、前記第１のフィッティング及び前記第２のフィッティングが相互取り付け状態にある場合、前記ブロック部は前記第１のフィッティングの第１の側壁上に構成される、請求項１に記載の接続装置。
【請求項３】
前記収容構造の第２の部分の寸法は前記収容構造の第１の部分の寸法よりも小さく、前記突起は頭部と該頭部に接続される本体部とを含み、該本体部の寸法は該頭部の寸法よりも小さく、前記収容構造の第２の部分の寸法は前記突起の本体部の寸法よりも大きいが、前記突起の頭部の寸法よりも小さい、請求項１に記載の接続装置。
【請求項４】
前記弾性部材は弾性部をさらに含み、前記ブロック部は該弾性部から突出し、前記ブロック部を所定の角度で前記弾性部に対して揺動するため、前記弾性部材の操作を促進するために前記弾性部に開口が形成される、請求項１に記載の接続装置。
【請求項５】
ケーブル管理装置及びスライドレールアセンブリであって、当該スライドレールアセンブリは第１のレールと、該第１のレールに対して変位可能な第２のレールとを含み、当該ケーブル管理装置は第１のアームと、該第１のアームに可動に接続される第２のアームと、該第１のアームを前記第１のレールに接続するように構成された第１の接続装置と、該第２のアームを前記第２のレールに接続するように構成された第２の接続装置と、を含み、該第１の接続装置及び該第２の接続装置の少なくとも一方は、
前記第１のアームに配置される第１のフィッティングであって、該第１のフィッティングは収容構造及び突起のうちの一方を含む、第１のフィッティングと、
前記第１のレールに配置される第２のフィッティングであって、該第２のフィッティングは収容構造及び突起のうちの他方を含む、第２のフィッティングと、
前記第１のフィッティング及び前記第２のフィッティングのうちの一方に取り付けられる弾性部材であって、該弾性部材は弾性部及びブロック部を含む、弾性部材と、
を含み、
前記第１のフィッティング及び前記第２のフィッティングは前記収容構造及び前記突起を通じて取り付けられ、
前記第１のフィッティングが前記第２のフィッティングに対して第１の位置から第２の位置に第１の方向に沿って変位された場合、前記ブロック部は前記第１のフィッティングが前記第１の方向と反対の第２の方向に沿って前記第２のフィッティングから外れるのを防止するように構成されている、ケーブル管理装置及びスライドレールアセンブリ。
【請求項６】
前記第１のアーム及び前記第２のアームの双方は第１の端部及び第２の端部を有し、前記第１のアームの第１の端部及び前記第２のアームの第１の端部は互いに枢結されている、請求項５に記載のケーブル管理装置及びスライドレールアセンブリ。
【請求項７】
前記第１のフィッティングは前記第１のアームの第２の端部に枢結され、前記第２のフィッティングは前記第１のレールの後部に接続される、請求項６に記載のケーブル管理装置及びスライドレールアセンブリ。
【請求項８】
前記第１のフィッティングは第１の側壁と、第２の側壁と、該第１の側壁及び該第２の側壁の間に接続される中間壁とを含み、前記弾性部材は前記第２のフィッティングに取り付けられ、前記ブロック部は、前記第１のフィッティング及び前記第２のフィッティングが相互取り付け状態にある場合、前記第１のフィッティングの第１の側壁上に構成される、請求項５に記載のケーブル管理装置及びスライドレールアセンブリ。
【請求項９】
前記収容構造は第１の部分と、該第１の部分に接続される第２の部分を含み、前記収容構造の第２の部分の寸法は前記収容構造の第１の部分の寸法よりも小さく、前記突起は頭部と該頭部に接続される本体部とを含み、該本体部の寸法は該頭部の寸法よりも小さく、前記収容構造の第２の部分の寸法は前記突起の本体部の寸法よりも大きいが、前記突起の頭部の寸法よりも小さい、請求項５に記載のケーブル管理装置及びスライドレールアセンブリ。
【請求項１０】
前記ブロック部は前記弾性部から突出し、前記ブロック部を所定の角度で前記弾性部に対して揺動するため、前記弾性部材の操作を促進するために前記弾性部に開口が形成される、請求項５に記載のケーブル管理装置及びスライドレールアセンブリ。
【発明の詳細な説明】
【技術分野】
【０００１】
本発明は接続装置に関し、より具体的にはケーブル管理装置及びスライドレールアセンブリのための接続装置に関する。
【背景技術】
【０００２】
スライドレールアセンブリには、例えば家具の引き出しやラックシステムを含む幅広い用途が存在する。ラックシステムにおいて用いられる場合、スライドレールアセンブリはケーブル管理装置を用いて支持する必要がある電気ケーブルを有する電子機器を保持するのに用いられる。具体的には、ケーブル管理装置は、前述のスライドレールアセンブリの２つのスライドレールに接続可能な２つの可動アームを通常有する。
【０００３】
特許文献１、特許文献２及び特許文献３には、ケーブル管理装置及びスライドレールアセンブリと共に用いられる接続装置が開示されている。これらの特許文献は参照により本願に組み込まれる。
【先行技術文献】
【特許文献】
【０００４】
【特許文献１】米国特許第８６３４１９８号明細書
【特許文献２】米国特許第８８３３７１５号明細書
【特許文献３】米国特許第９１６７７１７号明細書
【発明の概要】
【発明が解決しようとする課題】
【０００５】
市場の要求の変化につれて、ケーブル管理装置及びスライドレールアセンブリのために用いられる接続装置には代替的なデザインが要求される。したがって、特定の顧客のニーズにこたえるために革新的なデザインのユニークな製品を開発することは、継続的な努力及び注目が要求されるテーマである。
【課題を解決するための手段】
【０００６】
本発明はケーブル管理装置及びスライドレールアセンブリのための接続装置に関し、接続装置はスライドレールとケーブル管理装置とを少ない労力で簡便に取り外す機構を提供する。
【０００７】
本発明の一態様によれば、ケーブル管理装置及びスライドレールアセンブリのための接続装置は、収容構造を有する第１のフィッティングであって、該収容構造は第１の部分と、該第１の部分と連通する第２の部分とを含む、第１のフィッティングと、突起を有する第２のフィッティングと、前記第１のフィッティング及び前記第２のフィッティングのうちの一方に取り付けられる弾性部材であって、該弾性部材は、該弾性部材により提供される弾性力に対応してロック位置又は非ロック位置にあるブロック部を含む、弾性部材と、を含む。前記第１のフィッティングの収容構造の第１の部分が前記第２のフィッティングの突起と係合した場合、前記弾性部材は、前記弾性部材が手動で操作されることにより又は前記第１のフィッティング及び前記第２のフィッティングの協働に反応して弾性力を生成して前記ブロック部が前記非ロック位置にいざなって前記第１のフィッティングが前記第２のフィッティングから取り外すことができるようにする。前記第１のフィッティングが前記第２のフィッティングに対して第１の位置から第２の位置に第１の方向に沿って変位された場合、前記第１のフィッティングの収容構造の第２の部分は前記第２のフィッティングの突起と係合し、前記弾性部材は、前記ブロック部を前記非ロック位置から前記ロック位置に戻すために弾性力を放出し、前記ロック位置にある前記ブロック部は前記第１のフィッティングが前記第１の方向と反対の第２の方向に沿って前記第２のフィッティングから外れるのを防止するように構成されている。
【０００８】
前記第１のフィッティングは第１の側壁と、第２の側壁と、該第１の側壁及び該第２の側壁の間に接続される中間壁を含むことが好ましい。前記第１のフィッティング及び前記第２のフィッティングが相互取り付け状態にある場合、前記ブロック部は前記第１のフィッティングの第１の側壁上に構成される。
【０００９】
前記収容構造の第２の部分の寸法は前記収容構造の第１の部分の寸法よりも小さいことが好ましい。前記突起は頭部と該頭部に接続される本体部とを含み、該本体部の寸法は該頭部の寸法よりも小さい。前記収容構造の第２の部分の寸法は前記突起の本体部の寸法よりも大きいが、前記突起の頭部の寸法よりも小さい。
【００１０】
前記弾性部材は弾性部をさらに含み、前記ブロック部は該弾性部から突出することが好ましい。前記ブロック部を所定の角度で前記弾性部に対して揺動するため、前記弾性部材の操作を促進するために前記弾性部は開口を有する。
【００１１】
本発明の別の態様はケーブル管理装置及びスライドレールアセンブリに関する。当該スライドレールアセンブリは第１のレールと、該第１のレールに対して変位可能な第２のレールとを含む。当該ケーブル管理装置は第１のアームと、該第１のアームに可動に接続される第２のアームとを含む。当該ケーブル管理装置は、該第１のアームを前記第１のレールに接続するように構成された第１の接続装置と、該第２のアームを前記第２のレールに接続するように構成された第２の接続装置と、をさらに含む。ここでは、該第１の接続装置及び該第２の接続装置の少なくとも一方は、前記第１のアームに配置される第１のフィッティングと、前記第第１のレールに配置される第２のフィッティングと、前記第１のフィッティング及び前記第２のフィッティングのうちの一方に取り付けられる弾性部材であって、該弾性部材は弾性部及びブロック部を含む、弾性部材と、を含む。加えて、前記第１のフィッティング及び前記第２のフィッティングは前記収容構造及び前記突起を通じて取り付けられる。前記第１のフィッティングが前記第２のフィッティングに対して第１の位置から第２の位置に第１の方向に沿って変位された場合、前記ブロック部は前記第１のフィッティングが前記第１の方向と反対の第２の方向に沿って前記第２のフィッティングから外れるのを防止するように構成されている。
【００１２】
前記第１のアーム及び前記第２のアームの双方は第１の端部及び第２の端部を有することが好ましい。加えて、前記第１のアームの第１の端部及び前記第２のアームの第１の端部は互いに枢結されている。
【００１３】
前記第１のフィッティングは前記第１のアームの第２の端部に枢結され、前記第２のフィッティングは前記第１のレールの後部に接続されることが好ましい。
【００１４】
様々な図面に図示する下記の好ましい実施形態の詳細な説明を読み終えた後、本発明の上記の目的及び他の目的が当業者に間違いなく明らかになる。
【図面の簡単な説明】
【００１５】
【図１】図１は、本発明の一実施形態に係るケーブル管理装置及びスライドレールアセンブリを示す概略図である。
【図２】図２は、本発明の一実施形態に係る接続装置を示す分解図である。
【図３】図３は、本発明の一実施形態に係るケーブル管理装置及びスライドレールアセンブリを示す分解図である。
【図４】図４は、本発明の一実施形態に係る、ケーブル管理装置のアームをスライドレールアセンブリのスライドレールに接続するために取り付けられる接続装置の第１のフィッティング及び第２のフィッティングを示す図である。
【図５】図５は、本発明の一実施形態に係る、所定の角度で揺動するように強制された接続装置の弾性部材を示す図である。
【図６】図６は、本発明の一実施形態に係る、接続装置の弾性部材が弾性力を生成した後に相互取り付け状態から取り外された第１のフィッティング及び第２のフィッティングを示す図である。
【図７】図７は、本発明の一実施形態に係る、第１のフィッティング及び第２のフィッティングが相互取り付け状態から取り外された後で取り外されたケーブル管理装置及びスライドレールを示す図である。
【図８】図８は、本発明の一実施形態に係る、ラックシステムの一方側に取り付けられたケーブル管理装置を示す図である。
【図９】図９は、本発明の一実施形態に係る、スライドレールアセンブリのスライドレールを通じて開方向に沿ってラックシステムから引き出される電子機器を示す図である。
【図１０】図１０は、本発明の実施形態に係る、ラックシステムの別の側に取り付けられるケーブル管理装置を示す図である。
【発明を実施するための形態】
【００１６】
図１、図２及び図３に示すように、本発明の一実施形態はスライドレールアセンブリ２２、ケーブル管理装置２４及び第１の接続装置２６を含む。本発明は、第２の接続装置２８をさらに含むことが好ましい。
【００１７】
スライドレールアセンブリ２２は第１のレール３０と、第１のレール３０に対して変位可能な第２のレール３２とを含み、第１のレール３０と第２のレール３２との間で可動に接続された第３のレール３４をさらに含むことが好ましい。第３のレール３４は、第１のレール３０に対する第２のレール３２の動きを延ばすために用いられる。第１のレール３０は前部３０ａ及び後部３０ｂを有し、第２のレール３２は前部３２ａ及び後部３２ｂを有する。
【００１８】
ケーブル管理装置２４は第１のアーム３６及び第２のアーム３８を含む。第２のアーム３８は第１のアーム３６に可動に接続されている（例えば枢結されている）。実際の用途では、第１のアーム３６及び第２のアーム３８の双方は第１の端部Ｅ１と、第１の端部Ｅ１の反対側の第２の端部Ｅ２とを有する。第１のアーム３６の第１の端部Ｅ１及び第２のアーム３８の第１の端部Ｅ１は互いに枢結されている。ここでは、第１のアーム３６の第１の端部Ｅ１及び第２のアーム３８の第１の端部Ｅ１は接続ベース４０を通じて互いに枢結されている。即ち、第１のアーム３６の第１の端部Ｅ１及び第２のアーム３８の第１の端部Ｅ１は、それぞれ第１のシャフト４２ａ及び第２のシャフト４２ｂを通じて接続ベース４０の各側に枢結されている。そのような構成において、電子機器のケーブルを支持するためにケーブル管理部４４が第１のアーム３６、第２のアーム３８及び接続ベース４０に配置される。本願で言及するケーブル管理部４４は当業者に知られているため、本願においては、ケーブル管理部４４に関する説明は簡略化のために省略する。
【００１９】
第１の接続装置２６は第１のアーム３６を第１のレール３０に取り外し可能に接続するように構成されている。第２の接続装置２８は第２のアーム３８を第２のレール３２に取り外し可能に接続するのに用いられる。本実施形態では、第２の接続装置２８の構造構成は第１の接続装置２６のものと実質的に同一である。例えば、第１の接続装置２６及び第２の接続装置２８の双方は２つのフィッティング及び１つの弾性部材を含む。ここでは、第２の接続装置２８の第１のフィッティング４７は第２のアーム３８の第２の端部Ｅ２に枢結され、第２の接続装置２８の第２のフィッティング４９は第２のレール３２の後部３２ｂに接続されている。加えて、第２の接続装置２８の弾性部材５１は、第２の接続装置２８の第１のフィッティング４７及び第２のフィッティング４９が相互取り付け状態から外れるのを防止するように構成されている。第１のアーム３６は第２のアーム３８が第２のレール３２に取り外し可能に接続されるのと実質的に同じ原理で第１のレール３０に取り外し可能に接続されている。簡略化のために、以下で説明する実施形態は、第１のアーム３６が第１の接続装置２６を通じて第１のレール３０に取り外し可能に接続される方法のみを説明する。
【００２０】
実際の用途では、第１の接続装置２６は第１のフィッティング４６、第２のフィッティング４８及び弾性部材５０を含む。第１のフィッティング４６及び第２のフィッティング４８は第１のアーム３６及び第１のレール３０にそれぞれ配置されている。第１のフィッティング４６及び第２のフィッティング４８は、（図１又は図４に示すように）収容構造５２及び突起５４との間の構成を通じて取り付けられている。収容構造５２は開口又はスロットであることが好ましい。収容構造５２は第１の部分５２ａ（又は下側部）と、第１の部分５２ａに接続される第２の部分５２ｂ（又は上側部）とを含み、第２の部分５２ｂの寸法は第１の部分５２ａの寸法よりも小さい。収容構造５２の第１の部分５２ａが突起５４と係合し、お互いに対して変位された後、収容構造５２を突起５４に固定することができる。突起５４は頭部５４ａと、頭部５４ａに接続される本体部５４ｂとを含み、本体部５４ｂの寸法は頭部５４ａの寸法よりも小さいことが好ましい。収容構造５２が突起５４に固定された場合、突起５４の頭部５４ａは、（図１又は図４に示すように）収容構造５２の第２の部分５２ｂの一方側によりブロックされる。
【００２１】
収容構造５２を有する第１のフィッティング４６及び突起５４を備える第２のフィッティング４８を以下一例として説明する。本実施形態では、２つの収容構造５２及び２つの突起５４を示すが、本発明はそのような構成に限定されない。さらに、第１のフィッティング４６は、枢動部材５６ａを通じて第１のアーム３６の第２の端部Ｅ２に枢結され、第２のフィッティング４８は第１のレール３０の後部３０ｂに接続される。第２のフィッティング４８はネジ、ラッチ等を用いて第１のレール３０に固定できる。あるいは、第２のフィッティング４８は第１のレール３０にリベット留め又は溶接できる。即ち、第２のフィッティング４８は、第２のフィッティング４８が第１のレール３０に固定された後、第１のレール３０の一部と見ることができる。
【００２２】
第１の接続装置２６の弾性部材５０は第１のフィッティング４６及び第２のフィッティング４８のうちの一方に取り付けられる。一例として、弾性部材５０は板バネであり得る。実際の用途では、弾性又は柔軟性を有する部品も本発明の範囲内にある。弾性部材５０は弾性部５０ａ及びブロック部５０ｂを含む。ブロック部５０ｂは弾性部材５０の弾性部５０ａ上に配置される。ブロック部５０ｂは弾性部５０ａから延びていることが好ましく、弾性部材５０のブロック部５０ｂは弾性部５０ａから突出していることがより好ましい。
【００２３】
第１のフィッティング４６が第２のフィッティング４８に対して第１の方向Ｄ１に沿って（図６に示す）第１の位置Ｐ１から（図４に示す）第２の位置Ｐ２に変位された場合、第１のフィッティング４６及び第２のフィッティング４８のうちの一方に構成されたブロック部５０ｂは、（図１又は図４に示すように）第１のフィッティング４６が第２のフィッティング４８から外れるのを防止するように構成されている。
【００２４】
図４に示すように、第１のフィッティング４６及び第２のフィッティング４８は第１の側壁（又は上側側壁）と、第１の側壁に対応する第２の側壁（又は下側側壁）と、第１の側壁及び第２の側壁の間に接続される中間壁とを含む。
【００２５】
実際の用途では、第１のフィッティング４６は、第１の側壁４６ａ（又は上側側壁）と、第２の側壁４６ｂ（又は下側側壁）と、第１の側壁４６ａ及び第２の側壁４６ｂとの間に接続される中間壁４６ｃとを含む。他方、第２のフィッティング４８は、第１の側壁４８ａ（又は上側側壁）と、第２の側壁４８ｂ（又は下側側壁）と、第１の側壁４８ａ及び第２の側壁４８ｂとの間に接続される中間壁４８ｃとを含む。
【００２６】
本実施形態では、収容構造５２は第１のフィッティング４６の中間壁４６ｃに設けられ、突起５４は第２のフィッティング４８の中間壁４８ｃに設けられて、弾性部材５０は第２のフィッティング４８に取り付けられている。一例として、弾性部材５０の弾性部５０ａの一端は第２のフィッティング４８の中間壁４８ｃの後ろ側（即ち、第１のフィッティング４６から離れた方の側）に接続されている。
【００２７】
第１のフィッティング４６及び第２のフィッティング４８が相互取り付け状態にある場合、ブロック部５０ｂは第１のフィッティング４６の側壁４６ａの上に位置する。このとき、ブロック部５０ｂは、第１のフィッティング４６が第１の方向Ｄ１の反対側の第２の方向Ｄ２に沿って第２のフィッティング４８から外れるのを防止するためにロック位置Ｋ１にある。
【００２８】
図５、図６及び図７に示すように、第１のフィッティング４６を第２のフィッティング４８から外すことを望む場合、弾性部材５０に力Ｆを加えて弾性力を生成させて、ブロック部５０ｂを弾性部５０ａに対して揺動させ、ブロック部５０ｂを（図５に示すように）第１のフィッティング４６の第１の側壁４６ａの上からブロック部５０ｂを取り外すことができる。このとき、ブロック部５０ｂはロック位置Ｋ１から非ロック位置Ｋ２に動かされる。そのような構成では、第１のアーム３６を第２の方向Ｄ２に沿って第１のレール３０に対して変位させて、突起５４の頭部５４ａが収容構造５２の第２の部分５２ｂから（図６に示すように）収容構造５２の第１の部分５２ａに戻るようにさせることができる。これは、（図７に示すように）第１のアーム３６及び第１のレール３０がお互い外れることを可能にする。具体的には、ブロック部５０ｂは弾性部材５０の弾性力に反応でき、ロック位置Ｋ１又は非ロック位置Ｋ２に構成される。第１のフィッティング４６の収容構造５２の第１の部分５２ａが第２のフィッティング４８の突起５４と係合した場合、弾性部材５０は、弾性部材５０が手動で操作されるか又は第１のフィッティング４６と第２のフィッティング４８との協働に反応することにより弾性力を生成して、第１のフィッティング４６が第２のフィッティング４８から取り外されるようにブロック部５０ｂを非ロック位置Ｋ２にいざなうことができる。第１のフィッティング４６が第２のフィッティング４８に対して第１の方向Ｄ１に沿って第１の位置Ｐ１から第２の位置Ｐ２に変位された場合、第１のフィッティング４６の収容構造５２の第２の部分５２ｂは第２のフィッティング４８の突起５４に対応する位置に位置する。弾性部材５０の弾性力を放出することにより、ブロック部５０ｂは、ブロック部５０ｂが第１のフィッティング４６が第２のフィッティング４８から第１の方向Ｄ１の反対側の第２の方向Ｄ２に沿って取り外されるのを防止するよう構成されるように非ロック位置Ｋ２からロック位置Ｋ１に戻る。
【００２９】
図７、図６及び図４を連続して参照されたい。第１のアーム３６及び第１のレール３０が再度取り付けられると、第１のアーム３６及び第１のレール３０を互いにより近づけることができる。同時に、弾性部材５０は（図６に示すように）弾性力を維持するように力Ｆにより僅かに押圧するか又は操作することができる。さらに、第１のフィッティング４６がケーブル管理装置２４（又は第１のアーム３６）と協働して第２のフィッティング４８に第１の方向Ｄ１で（即ち下方向で）取り付けられると、（図４に示すように）突起５４の本体部５４ｂが挿入され、収容構造５２の第１の部分５２ａから第２の部分５２ｂに取り付けられる。弾性部材５０の弾性力を放出することにより、ブロック部５０ｂは第１のフィッティング４６の第１の側壁４６ａをブロックして（図４に示すように）第１のフィッティング４６が第２のフィッティング４８から第１の方向Ｄ１の反対側の第２の方向Ｄ２に（即ち上方向に）取り外されるのを防止することができる。なお、前述の第１の方向Ｄ１及び第２の方向Ｄ２は説明を目的としたものにすぎない。実際の用途では、第１の方向Ｄ１及び第２の方向Ｄ２は互いに逆方向であればよく、本発明は係る構成に限定されない。なお、収容構造５２の第２の部分５２ｂの寸法は突起５４の本体部５４ｂの寸法よりも大きいが、突起５４の頭部５４ａの寸法よりは小さい。したがって、第１のフィッティング４６及び第２のフィッティング４８が図４にしたがって取り付けられた場合、フィッティングは水平方向（Ｈ１）及び垂直方向（Ｖ１）に沿って変位できず、フィッティングを安定且つ固定させることができる。加えて、弾性部材５０の弾性部５０ａは、（図５及び図６に示すように）弾性部材５０が力Ｆによってより容易に押圧又は操作して弾性力を維持できるように（図２に示すように）開口５０ｃを有する。そして、ユーザーは弾性部材５０を少ない労力で操作して、ブロック部５０ｂを弾性部５０ａに対して所定の角度で揺動させて第１のフィッティング４６及び第２のフィッティング４８の取り付けを促進できる。
【００３０】
図７に示すように、弾性部材５０のブロック部５０ｂは下端５０ｄを有し、下端５０ｄは第１のフィッティング４６の第１の側壁４６ａと協働する。第２のフィッティング４８は２つの突起５４を備える。２つの突起５４のうちの一方は第２のフィッティング４８の第１の側壁４８ａの隣りに配置され、２つの突起５４のうちの他方は第２のフィッティング４８の第２の側壁４８ｂの隣りに配置される。第１のフィッティング４６は２つの収容構造５２を備える。２つの収容構造５２のうちの一方は第１のフィッティング４６の第１の側壁４６ａの隣りに配置され、２つの収容構造５２のうちの他方は第２のフィッティング４８の第２の側壁４６ｂの隣りに配置される。ブロック部５０ｂの下端５０ｄは２つの突起５４のうちの一方から第１の間隔Ｌ１離間されている。ブロック部５０ｂの下端５０ｄは２つの突起５４のうちの他方から第２の間隔Ｌ２離間されている。第１のフィッティング４６の第２の側壁４６ｂは、２つの収容構造５２のうちの一方から第３の間隔Ｌ３離間され、第１のフィッティング４６の第１の側壁４６ａは２つの収容構造５２のうちの他方から第４の間隔Ｌ４離間されている。第１の間隔Ｌ１は第３の間隔Ｌ３と実質的に等しく、第２の間隔Ｌ２は第４の間隔Ｌ４と実質的に等しい。
【００３１】
図８に示すように、ラックシステム上の電子機器５８は、一対のスライドレールアセンブリ２２の第２のレール３２を第１のレール３０に対して引っ込めることによりラック６０の内部に収容できる。ここで、第１のアーム３６及び第２のアーム３８はお互いに対して引っ込められている。実際の用途では、電子機器５８は一対のスライドレールアセンブリ２２を用いてラック６０に取り付けることができ、各スライドレールアセンブリ２２の第１のレール３０は第１のブラケット６２及び第２のブラケット６４を通じてそれぞれ第１のラックポスト６０ａ及び第２のラックポスト６０ｂに取り付けられる。第２のレール３２は電子機器５８を保持でき、電子機器５８は一般にケーブル６６を備える。さらに、係るケーブル６６を支持するためにケーブル管理装置２４上の第１のケーブル管理アーム３６、第２のケーブル管理アーム３８又は接続ベース４０のケーブル管理部４４を用いることができる。本願において言及するケーブル管理部４４は当業者には自明であり、ケーブル管理部４４に関する説明は簡略化のために省略する。本構成では、ケーブル管理装置２４は一対のスライドレールアセンブリ２２のうちの一方に取り外し可能に接続されている（図８に示すように、ケーブル管理装置２４は、ラック６０の右側で取り外し可能にスライドレールアセンブリ２２に接続されている）。実際の用途では、第１の接続装置２６は第１のアーム３６を第１のレール３０に取り外し可能に接続でき、第２の接続装置２８は第２のアーム３８を第２のレール３２に取り外し可能に接続できる。
【００３２】
図９に示すように、電子機器５８は、一対のスライドレールアセンブリ２２の第２のレール３２を第１のレール３０に対して変位させることによりラック６０の内部から引き出すことができる。ここでは、第１のアーム３６及び第２のアーム３８は枢動し互いに対して延在する。
【００３３】
図１０に示すように、スライドレールとアームとをお互いにから外す機構は、前述の第１の接続装置２６及び第２の接続装置２８を通じて提供される。代替的な実施形態では、ケーブル管理装置２４は、ラック６０の左側でスライドレールアセンブリ２２に取り外し可能に取り付けられている。例えば、第１の接続装置２６は、ラック６０の左側で第１のアーム３６をスライドレールアセンブリ２２の第１のレール３０に取り外し可能に接続でき、第２の接続装置２８は、ラック６０の左側でスライドレールアセンブリ２２の第２のレール３２に取り外し可能に接続できる。
【００３４】
上記の実施形態から本発明は下記の利点を有することが分かる。
【００３５】
１）第１の接続装置２６の弾性部材５０は、第１のフィッティング４６及び第２のフィッティング４８のうちの一方に取り付けられる。第１のフィッティング４６が第２のフィッティング４８に取り付けられている場合、第１のフィッティング４６及び第２のフィッティング４８のうちの他方に位置するブロック部５０ｂは、第１のフィッティング４６が第２のフィッティング４８から取り外されるのを防止するのに用いることができる。
【００３６】
２）弾性部材５０の弾性部５０ａは、弾性部材５０が弾性力を維持するように力Ｆにより容易に押圧できるように又は操作できるようにする開口５０ｃを有する。そして、ユーザーは弾性部材５０を少ない労力で操作して、ブロック部５０ｂを弾性部５０ａに対して所定の角度で揺動させて第１のフィッティング４６及び第２のフィッティング４８の取り付けを促進できる。
【００３７】
）アーム及びスライドレール（例えば、第１のアーム３６と第１のレール３０又は第２のアーム３８と第２のレール３２）をお互いから外す機構は、第１の接続装置２６又は第２の接続装置２８を通じて提供される。
【００３８】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３９】
２２  スライドレールアセンブリ
２４  ケーブル管理装置
２６  第１の接続装置
２８  第２の接続装置
３０  第１のレール
３２  第２のレール
３４  第３のレール
３６  第１のアーム
３８  第２のアーム
４０  接続ベース
４２  シャフト
４４  ケーブル管理部
４６  第１のフィッティング
４８  第２のフィッティング
５０  弾性部材
５２  収容構造
５４  突起
５６ａ  枢動部材
５８  電子機器
６０  ラック
６２  第１のブラケット
６４  第２のブラケット
６６  ケーブル
【図１】
2019140377.tif 000003
【図２】
2019140377.tif 000004
【図３】
2019140377.tif 000005
【図４】
2019140377.tif 000006
【図５】
2019140377.tif 000007
【図６】
2019140377.tif 000008
【図７】
2019140377.tif 000009
【図８】
2019140377.tif 000010
【図９】
2019140377.tif 000011
【図１０】
2019140377.tif 000012